(57)【要約】【課題】原稿の綴り方向、組方向に合致し、且つ、見開き２ページの場合のページ順序と合致した順序で画像が切り出されることを可能とする画像切出装置を提供する。【解決手段】原稿を表す原稿データから１以上の画像領域にそれぞれ対応する１以上の画像データを切り出す手段と、前記原稿が見開き１ページである場合には、前記原稿における文字の組方向に従った二次元走査により前記原稿データから位置を検出した順序で前記1以上の画像データを並べるための手段と、前記原稿が見開き２ページである場合には、前記原稿における文字の組方向及びページの順序の組み合わせに従った二次元走査により前記原稿データから位置を検出した順序で前記1以上の画像データを並べるための手段を備える。【選択図】図１１
2018067892.tif 000002
【特許請求の範囲】
【請求項１】
原稿を表す原稿データから１以上の画像領域にそれぞれ対応する１以上の画像データを切り出す手段と、
前記原稿が見開き１ページである場合には、前記原稿における文字の組方向に従った二次元走査により前記原稿データから位置を検出した順序で前記1以上の画像データを並べるための手段と、
前記原稿が見開き２ページである場合には、前記原稿における文字の組方向及びページの順序の組み合わせに従った二次元走査により前記原稿データから位置を検出した順序で前記1以上の画像データを並べるための手段と、
を備えることを特徴とする画像切出装置。
【請求項２】
請求項１に記載の画像切出装置であって、
前記原稿が見開き２ページである場合における、前記原稿における文字の組方向の方向は、両ページに共通、又は、ページ毎に異なることを特徴とする画像切出装置。
【請求項３】
請求項１又は２に記載の画像切出装置であって、
前記ページの順序を、原稿が開く方向により決定する手段を更に備えることを特徴とする画像切出装置。
【請求項４】
請求項３に記載の画像切出装置であって、
前記原稿が開く方向を外部から入力するための手段を更に備えることを特徴とする画像切出装置。
【請求項５】
請求項３に記載の画像切出装置であって、
前記原稿が開く方向を外部からの使用言語の入力により決定するための手段を更に備えることを特徴とする画像切出装置。
【請求項６】
請求項１乃至５の何れか１項に記載の画像切出装置であって、
前記原稿における文字の組方向を前記原稿データから検出するための手段を更に備えることを特徴とする画像切出装置。
【請求項７】
請求項１乃至６の何れか１項に記載の画像切出装置であって、
前記原稿における文字の組方向を外部から入力するための手段を更に備えることを特徴とする画像切出装置。
【請求項８】
請求項１乃至６の何れか１項に記載の画像切出装置であって、
前記原稿における文字の組方向を外部からの使用言語の入力により決定するための手段を更に備えることを特徴とする画像切出装置。
【請求項９】
請求項１乃至６の何れか１項に記載の画像切出装置であって、
外部から文字の組方向を指定するための描画を受け付ける手段と、
前記描画の内容に基づいて、文字の組方向を決定する手段と、
を更に備えることを特徴とする画像切出装置。
【請求項１０】
請求項１乃至６に記載の画像切出装置であって、
外部からページ区切線を入力する手段と、
外部から前記ページ区切線により決定した各ページに対する、文字の組方向を指定するための描画を受け付ける手段と、
各ページに対して、前記描画の内容に基づいて、文字の組方向を決定する手段と、
を更に備えることを特徴とする画像切出装置。
【請求項１１】
請求項１乃至１０の何れか１項に記載の画像切出装置であって、
前記原稿の天の方向が基準としている方向と異なる場合には、検出した各画像領域の位置を所定の点について前記天の方向が基準の方向になるまで回転させた上で、回転後の位置に対して前記二次元走査を適用することを特徴とする画像切出装置。
【請求項１２】
請求項１１に記載の画像切出装置であって、
前記原稿の天の方向を検出する手段を更に備えることを特徴とする画像切出装置。
【請求項１３】
請求項１１又は１２に記載の画像切出装置であって、
前記原稿の天の方向を外部から入力する手段を更に備えることを特徴とする画像切出装置。
【請求項１４】
請求項１乃至１３の何れか１項に記載の画像切出装置であって、
各画像領域に対してその位置を検出した順序を表示する手段を更に備えることを特徴とする画像切出装置。
【請求項１５】
請求項１乃至１３の何れか１項に記載の画像切出装置であって、
各画像領域に対してその位置を検出した順序をプレビュー画面に重ねて表示する手段を更に備えることを特徴とする画像切出装置。
【請求項１６】
請求項１乃至１５の何れか１項に記載の画像切出装置を備えることを特徴とする複合機。
【請求項１７】
原稿を表す原稿データから１以上の画像領域にそれぞれ対応する１以上の画像データを切り出すステップと、
前記原稿が見開き１ページである場合には、前記原稿における文字の組方向に従った二次元走査により前記原稿データから位置を検出した順序で前記1以上の画像データを並べるためのステップと、
前記原稿が見開き２ページである場合には、前記原稿における文字の組方向及びページの順序の組み合わせに従った二次元走査により前記原稿データから位置を検出した順序で前記1以上の画像データを並べるためのステップと、
を有することを特徴とする画像切出方法。
【請求項１８】
コンピュータを請求項１乃至１５の何れか１項に記載の画像切出装置として機能させるための画像切出用プログラム。
【発明の詳細な説明】
【技術分野】
【０００１】
本発明は、画像切出装置、これを備える複合機、画像切出方法及び画像切出用プログラムに関する。
【背景技術】
【０００２】
画像複写装置に、ネットワーク接続機能、ファクシミリ機能、データ通信機能、データ入出力機能、データ格納機能などを追加した複合機には、いわゆる写真クロップ機能というものが備わっているものがある。写真クロップ機能により、複合機の読取部で読み取った原稿に含まれる写真や、原稿台に置かれた状態で読取部により読み取られた領収書、名刺などの画像を個々に切出して、個々の画像に対応する画像データを記憶装置、メモリカードなどに保存したり、ネットワークなどを介して外部に出力したりすることができる。
【先行技術文献】
【特許文献】
【０００３】
【特許文献１】特開２００８−１１３０７５号公報
【発明の概要】
【発明が解決しようとする課題】
【０００４】
特許文献１には、マルチクロップ機能において、画像領域のサイズが正しくなるようにパラメータを調整する発明が開示されている。
【０００５】
しかし、通常の写真クロップ機能の場合、画像を切り出す順序が、例えば、右から左に向かう主走査方向、上から下に向かう副走査方向に従った順序に固定されているため、文字の組方向とは、合致しない順序で画像が切り出される場合が生じてしまう。
【０００６】
また、通常の写真クロップ機能の場合、画像を切り出す順序が、例えば、右から左に向かう主走査方向、上から下に向かう副走査方向に従った順序に固定されているため、見開き２ページの場合のページの開き方向とは、合致しない順序で画像が切り出される場合が生じてしまう。
【０００７】
そこで、本発明は、切り出された画像が、文字列の綴り方向、組方向に合致し、且つ、見開き２ページの場合のページ順序と合致した順序で並ぶことを可能とする画像切出装置、複合機、画像切出方法及び画像切出用プログラムを提供することを目的とする。
【課題を解決するための手段】
【０００８】
本発明によれば、
原稿を表す原稿データから１以上の画像領域にそれぞれ対応する１以上の画像データを切り出す手段と、
前記原稿が見開き１ページである場合には、前記原稿における文字の組方向に従った二次元走査により前記原稿データから位置を検出した順序で前記1以上の画像データを並べるための手段と、
前記原稿が見開き２ページである場合には、前記原稿における文字の組方向及びページの順序の組み合わせに従った二次元走査により前記原稿データから位置を検出した順序で前記1以上の画像データを並べるための手段と、
を備えることを特徴とする画像切出装置が提供される。
【０００９】
また、本発明によれば、上記の画像切出装置を備えることを特徴とする複合機が提供される。
【００１０】
更に、本発明によれば、
原稿を表す原稿データから１以上の画像領域にそれぞれ対応する１以上の画像データを切り出すステップと、
前記原稿が見開き１ページである場合には、前記原稿における文字の組方向に従った二次元走査により前記原稿データから位置を検出した順序で前記1以上の画像データを並べるためのステップと、
前記原稿が見開き２ページである場合には、前記原稿における文字の組方向及びページの順序の組み合わせに従った二次元走査により前記原稿データから位置を検出した順序で前記1以上の画像データを並べるためのステップと、
を有することを特徴とする画像切出方法が提供される。
【００１１】
更に、本発明によれば、コンピュータを上記の画像切出装置として機能させるための画像切出用プログラムが提供される。
【発明の効果】
【００１２】
本発明によれば、切り出された画像が、文字列の綴り方向、組方向に合致し、且つ、見開き２ページの場合のページ順序と合致した順序で並ぶことが可能となる。
【図面の簡単な説明】
【００１３】
【図１】本発明の第１の実施の形態による画像切出装置の構成を示す機能ブロック図である。
【図２】本発明の第１の実施の形態による画像切出装置により表示される画面で見開き１ページが指定された状態のものである。
【図３】本発明の第１の実施の形態による画像切出装置により表示される画面で左開きの見開き２ページが指定された状態のものである。
【図４】本発明の第１の実施の形態による画像切出装置により表示される画面で右開きの見開き２ページが指定された状態のものである。
【図５】本発明の第１の実施の形態による画像切出装置により表示される画面で上開きの見開き２ページが指定された状態のものである。
【図６】本発明の第２の実施の形態による画像切出装置の構成を示す機能ブロック図である。
【図７】本発明の第３の実施の形態による画像切出装置の構成を示す機能ブロック図である。
【図８】本発明の第３の実施の形態による画像切出装置による入力方法を説明するための図である。
【図９】本発明の第４の実施の形態による複合機の構成を示す断面図である。
【図１０】本発明の第４の実施の形態による画像切出装置の構成を示す機能ブロック図である。
【図１１】本発明の実施例１を説明するための図である。
【図１２】本発明の実施例２を説明するための図である。
【図１３】本発明の実施例３を説明するための図である。
【図１４】本発明の実施例４を説明するための図である。
【図１５】本発明の実施例５を説明するための図である。
【図１６】本発明の実施例６を説明するための図である。
【図１７】本発明の実施例７を説明するための第１の図である。
【図１８】本発明の実施例７を説明するための第２の図である。
【図１９】本発明の第３の実施の形態による画像切出装置による他の入力方法を説明するための図である。
【図２０】本発明の第３の実施の形態による画像切出装置による更に他の入力方法を説明するための図である。
【発明を実施するための形態】
【００１４】
以下、図面を参照して本発明を実施するための形態について詳細に説明する。
【００１５】
まず、用語の説明をする。
【００１６】
組方向は、文字の組み方に関するものであり、縦組みと横組みに大別される。縦組みは、文字が列をなすように縦に並ぶ文字組であり、横組みは、文字が行をなすように横に並ぶ文字組である。縦組みには、左縦組みと右縦組みがある。
【００１７】
左縦組みは、各列において文字が上から下に並び、文字の列が左から右に並ぶ文字組である。右縦組みは、各列において文字が上から下に並び、文字の列が右から左に並ぶ文字組である。横組みには、左横組みと右横組みがある。左横組みは、各行において文字が左から右に並び、行が上から下に並ぶ文字組である。右横組みは、各行において文字が右から左にならび、行が上から下に並ぶ文字組である。
【００１８】
左縦組みは、稀にある組方向であり、右縦組は、例えば、日本語の小説で用いられる組方向であり、左横組みは、例えば、横書きの日本語、英語などの書籍で用いられる組方向であり、右横組みは、例えば、アラビア語で用いられる組方向である。
【００１９】
組方向検出部１１１は、画像データから文字列を検出し、組方向を検出する。組方向は、例えば、横書きの日本語、英語の場合は、左横組みであり、縦書きの日本語の場合は、右縦組みであり、横書きのアラビア語の場合は、右横組みである。組方向を検出するために、文字列から言語を検出してもよい。
【００２０】
開き方向は、見開き２ページにおいて、製本状態にあるならばどの側が開くかを示すものであり、これには、左開き、右開き、上開きがある。左開きは、左綴（と）じに対応し、右開きは、右綴（と）じに対応し、上開きは、上綴（と）じに対応する。
【００２１】
左開きは、例えば、左横組みの書籍で用いられる開き方向であり、右開きは、例えば、日本の通常の新聞で用いられる開き方向であり、上開きは、例えば、壁掛けのカレンダー
で用いられる開き方向である。
【００２２】
［第１の実施の形態］
図１を参照すると、第１の実施の形態による画像切出装置１０１は、原稿読取部１０３、ユーザインターフェース１０５、文字方向検出部１０７、画像領域検出部１０９、組方向検出部１１１、開き方向入力部１１５、天方向検出部１１７、座標検出部１１９、座標回転部１２３、領域順序決定部１２５及び画像並替部１２７を含む。
【００２３】
原稿読取部１０３は、原稿を読み取り、これの画像データを生成する。これは、例えば、後述する原稿読取装置８２０に相当するものである。
【００２４】
ユーザインターフェース１０５は、利用者との間で入出力を行うものであり、例えば、後述する操作パネル２１７を含む。
【００２５】
文字方向検出部１０７は、画像データから文字を検出し、検出した各文字の方向を検出する。
【００２６】
画像領域検出部１０９は、画像データから画像領域を検出する。画像領域は、例えば、写真、アニメーションなどを含む領域である。
【００２７】
組方向検出部１１１は、画像データから文字領域を検出し、そこから組方向を検出する。組方向は、例えば、次のようにして検出する。
【００２８】
文字領域から行状又は列状に並ぶ文字を検出する。これにより、まず、縦組みであるのか、横組みであるのかを決定する。
【００２９】
縦組みであれば、複数列にわたり文字認識を行い、文字認識の結果に基づいて、左縦組みであるのか、右縦組みであるのかを決定する。認識前に言語の指定を受けてもよい。段落を認識して、これを用いて、左縦組みであるのか、右縦組みであるのかを決定してもよい。縦組みであれば、常に、右縦組みとしてもよい。
【００３０】
設置されている場所または文字認識により使用言語を決定し、縦組みであれば、言語に応じて、常に、左縦組み、又は、右縦組みとしてもよい。例えば、日本語で縦組みであれば、右縦組みとする。また、モンゴル語で縦組みであれば、左縦組みとする。
【００３１】
横組みであれば、複数行にわたり文字認識を行い、文字認識の結果に基づいて、左横組みであるのか、右横組みであるのかを決定する。認識前に言語の指定を受けてもよい。段落を認識して、これを用いて、左横組みであるのか、右横組みであるのかを決定してもよい。設置されている国や地域によって、横組みであれば、常に、左横組み、又は、右横組みとしてもよい。
【００３２】
設置されている場所または文字認識により使用言語を決定し、横組みであれば、言語に応じて、常に、左横組み、又は、右横組みとしてもよい。例えば、日本語で横組みであれば、左横組みとする。また、英語で横組みであれば、左横組みとする。更に、アラビア語で横組みであれば、右横組みとする。
【００３３】
開き方向入力部１１５は、見開き１ページ、左開きの見開き２ページ、右開きの見開き２ページ及び上開きの見開き２ページのうちの何れかの選択を入力する。開き方向入力部１１５は、画像読取部１０３が出力する画像データから検出されるページ番号とその位置に基づいて、ページ数と、２ページである場合には、開き方向を決めてもよい。また、見
開きか否かについては原稿画像の縦または横の中心線付近の文字及び画像の連続性及び空白等によりページ区切り線を認識し見開きか否かを決定しても良い。開き方向については組方向検出部１１１からの組方向及びページ区切り線の位置によって開き方向を決定しても良い。具体的には、原稿の上下の中心にページ区切りがある場合は上開きとする。原稿の左右の中心にページ区切りがある場合は、右縦組みであれば、右開きとし、左縦組みであれば、左開きとし、左横組みであれば、左開きとし、右横組みであれば、右開きとする。
【００３４】
天方向検出部１１７は、原稿の天の方向を検出する。検出のためには、例えば、文字方向を用いる。文字方向は、文字方向検出部１０７から入力してもよいが、組方向検出部１１１から入力してもよい。
【００３５】
座標検出部１１９は、画像領域検出部１０９が検出した各画像領域の画像データにおける位置に対応する座標を検出する。座標としては、例えば、画像領域の中心座標を選択する。
【００３６】
座標回転部１２３は、座標検出部１１９が検出した各画像領域の座標（ｘ、ｙ）を所定の点（ｘ０，ｙ０）について天方向検出部１１７が検出した天が上方を向くように回転させて、下式で表される回転後の座標（ｘ’，ｙ’）を得る。
【００３７】
ｘ’＝（ｘ−ｘ０）・ｃｏｓθ−（ｙ−ｙ０）・ｓｉｎθ＋ｘ０
ｙ’＝（ｘ−ｘ０）・ｓｉｎθ＋（ｙ−ｙ０）・ｃｏｓθ＋ｙ０
座標回転部１２３は、天方向検出部１１７が検出した天が既に上を向いているならば、各画像領域の座標（ｘ、ｙ）を回転させず、座標（ｘ’，ｙ’）として座標（ｘ、ｙ）をそのまま用いる。
【００３８】
領域順序決定部１２５は、例えば、図２に示すように、ｏｆｆボタンが選択されたことにより、開き方向入力部１１５が見開き１ページを入力した場合は、組方向検出部１１１が検出した組方向に基づいて決定した主走査方向及び副走査方向に従った二次元的な走査により、座標回転部１２３が出力する各画像領域の座標が検出される順序を各画像領域の順序として決定する。
【００３９】
また、領域順序決定部１２５は、例えば、図３、図４又は図５に示すように、左開きボタン、右開きボタン又は上開きボタンが選択されたことにより、開き方向入力部１１５がこれらの方向の見開き２ページを入力した場合は、開き方向に従って並ぶ各ページに対して、開き方向入力部１１５が見開き１ページを入力した場合と同様な二次元的な走査を、座標回転部１２３が出力する各画像領域の位置に対して、開き方向に従ったページの順序で行う。そして、座標回転部１２３が出力する各画像領域の位置が検出される順序を各画像領域の順序として決定する。
【００４０】
ユーザインターフェース１０５に備わる画面に、各画像領域の順序を表示してもよい。なお、各画像領域の順序を、原稿読取部１０３から取得した画像データに基づいたプレビュー画面に重畳してもよいし、しなくてもよい。プレビュー画面の代わりに、原稿のレイアウトがわかるような画面を用いてもよい。
【００４１】
画像並替部１２７は、領域順序決定部１２５が決定した順序に従って、画像領域検出部１０９が検出した画像領域にある画像データを並び替える。
【００４２】
並び替えられた画像データには、例えば、並び替え後の順序に従った番号を含むファイル名が付けられる。ファイル名にページ番号を含ませてもよい。順序がページ番号とペー
ジ内番号の組合せによりわかるようにしてもよいし、順序に従った番号にページ番号を連接してもよい。また、並び替えられた画像データは、例えば、並び替え後の順序に従って、保存されたり、送信されたり、印刷されたり、出力されたりする。保存や送信や印刷や出力の際には、ページ毎にページ順でグループ化してもよい。グループ内では、並び替え後の順序を維持してもよい。
【００４３】
上記では画像領域の座標としては、一例として、画像領域の中心座標を選択することとしたが、二次元走査に応じた座標としてもよい。例えば、主走査を左から右に向かい行い、副走査を上から下に行うのであれば、左上の隅が検出されるように、位置に対応する座標を画像領域の左上角の座標としてもよい。座標検出部１１９が、四隅の座標を検出しておき、決定した二次元走査の主走査と副走査の方向に応じて、最初に操作される隅が検出されるように、利用する座標を切り替えてもよいし、決定した二次元走査に応じて中心座標を画像領域の縦横サイズを用いて補正してもよい。
【００４４】
［第２の実施の形態］
第１の実施の形態では、組方向検出部１１１により、組方向を検出するが、第２の実施の形態では、図６に示すように、組方向検出部１１１の代わりに、組方向入力部１１１Ｂを設け、これが、ユーザインターフェース１０５を介して、組方向を入力する。組方向を、メニューから選択してもよい。また、メニューには、組方向がわかるような図形や組方向がわかるようにレイアウトされた文字を追加してもよい。
【００４５】
第２の実施の形態によれば、原稿を読み取る前に、組方向及び開き方向を指定することができるが、原稿を読み取った後に組方向及び開き方向を指定するために第２の実施の形態を適用することもできる。また、第１の実施の形態で検出した組方向を修正するためにも第２の実施の形態を適用することができる。
【００４６】
［第３の実施の形態］
図７を参照すると、第３の実施の形態では、組方向検出部１１１の代わりに組方向入力部１１１Ｃを設ける。組方向入力部１１１Ｃは、ユーザインターフェース１０５からの入力に従って組方向を決定する。
【００４７】
例えば、図８に示すように、ユーザインターフェース１０５が表示するプレビュー画面に重なるような矢印（すなわち、二次元ベクトル）２０１を利用者が入力したならば、その向きに基づいて組方向を決定する。なお、図８においては、二次元ベクトル２０１が二本入力された状態を示しているが、見開き１ページである場合と、見開き２ページの場合において両ページとも綴り方向と組方向が同一であることを前提としている場合には、二次元ベクトル２０１は、一本のみでよい。後で説明するように、見開き２ページの場合において組方向がページ間で異なる場合があることを前提としている場合には、ページ毎に二次元ベクトルを入力する。
【００４８】
具体例をいうと、図１１に示すような方向の矢印（最低限の本数でよい。）を、ユーザインターフェース１０５を介して入力したならば、組方向を左横組みにする。
【００４９】
また、図１２に示すような方向の矢印（最低限の本数でよい。）を、ユーザインターフェース１０５を介して入力したならば、組方向を右縦組みとする。
【００５０】
更に図１３に示すような方向の矢印（最低限の本数でよい。）を、ユーザインターフェース１０５を介して入力したならば、組方向を右横組みとする。
【００５１】
ここで、図１２に示す矢印と図１３に示す矢印は、共に、右上から左下に向かうという
点においては、共通であるが、角度が異なるので、これらを識別することができる。
【００５２】
矢印の入力方法としては、利用者がその向きにタッチパネルをなぞる方法、その向きに対応するボタンを押下する方法などを用いる。
【００５３】
また、開き方向入力部１１５の代わりに設けたページ区切線入力部１１６が、例えば、図８に示すように、ユーザインターフェース１０５が表示するプレビュー画面に重なるようなページ区切線２０３を入力したならば、走査順序決定部１２１は、原稿は見開き２ページであると判断する。なお、ページ区切線２０３は、タッチパネルに直接入力してもよいし、ページ区切線の描画に対応するボタン操作によって入力してもよい。この場合、開き方向の指定も必要となるかもしれないが、図３乃至図５の画面を用いないで、代わりに、見開き２ページであることをのみをページ区切線入力部１１６が入力していることになるので、開き方向の指定の代わりに、ページの順序の指定を入力する。ｏｆｆボタンを選択できない状態において、図３乃至図５の画面のように選択できるようにしてもよい。また、既に組方向を検出しているのであれば、組方向に基づいて開き方向を決定してもよい。例えば、区切り線が中央にある縦線である場合において、右縦組みであれば、右開きとし、左縦組みであれば、左開きとし、左横組みであれば、左開きとし、右横組みであれば、右開きとする。なお、区切り線が中央にある横線であれば、上開きとしてよい。
【００５４】
第３の実施の形態によるページ区切線と、二次元ベクトルと、ページの順序又は開き方向の入力は、原稿を読み取る前にも読み取った後にも実行することができる。読み取った後にも実行する場合には、プレビュー画面を同時に表示し、これに重なるように、矢印とページ区切線を入力することができる。
【００５５】
図８や図１９（ａ）などに示す斜めの二次元ベクトルを、図１９（ｂ）、（ｃ）に示す二本の二次元ベクトルで代用してもよい。その場合、横組み又は縦組みを表すベクトルと、行又は列の並び方向を示すベクトルを区別して用いるようにしてもよい。区別をすれば、両者間の相対的な長さを見なくてよくなる。また、図２０に示すように、横方向又は縦方向の１本のベクトルの方向と位置により、組方向を指定してもよい。図２０（ａ）のベクトルは、左横組みを指定し、図２０（ｂ）のベクトルは、右縦組みを指定し、図２０（ｃ）のベクトルは、右横組みを指定する。
【００５６】
［第４の実施の形態］
第１乃至３の実施の形態は、見開き２ページの場合には、両ページの組方向が同一であることを前提としたが、異なる場合があることを前提として、各ページの組方向を別々に検出したり、入力したりして、ページ毎に決定した二次元走査により、画像領域の位置を検出してもよい。
【００５７】
第１の実施の形態の場合には、見開き２ページの場合、組方向検出部１１１は、何れかのページから綴り方向と組方向を検出すればよいが、第４の実施の形態に従うならば、組方向検出部１１１は、双方のページ毎に組方向を検出する。
【００５８】
第２の実施の形態の場合には、見開き２ページの場合、組方向入力部１１１Ｂは、両ページに共通な１つの組方向を入力すればよいが、第４の実施の形態に従うならば、組方向入力部１１１Ｂは、ページ毎に組方向を入力する。
【００５９】
第３の実施の形態の場合には、見開き２ページであっても、ベクトルによる組方向の指定を両ページに適用すればよいが、第４の実施の形態に従うならば、それぞれのページに対してベクトルによる組方向の指定を入力する。
【００６０】
［第５の実施の形態］
第５の実施の形態は、第１乃至第４の実施の形態による原稿読取装置を含む複合機８００に関するものである。図９及び図１０は、複合機８００の構成などを示すものである。
【００６１】
図９及び図１０に示すように、複合機８００は、原稿の画像を読み取る原稿読取装置８２０と、シートに画像を形成する複合機本体（画像形成部本体）２１５と、原稿読取装置８２０及び複合機本体２１５を操作するための操作パネル部２１７と、操作パネル部２１７による操作に基づいて原稿読取装置８２０及び複合機本体２１５を制御する演算処理部２１３と、を備えている。操作パネル２１７は、ユーザインターフェース１０５の一部を構成する。
【００６２】
画像読取りのために原稿読取装置８２０を単体で用いること、画像形成のために画像形成部本体２１５を単体で用いることの他に、画像を複写するためにこれらを連動させることもできる。また、複合機８００は図示しない記憶装置及びファクシミリ装置を含んでいてもよい。記憶装置は、原稿読取装置により読み取られた画像やファクシミリ装置により受信した画像を格納することができる。ファクシミリ装置は、原稿読取装置により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００６３】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図１０に示す構成要素の他に、図１０には示されないが図９に示される構成要素も含む。
【００６４】
複合機本体２１５は、シートを給送するシート給送部１０と、シートを手差し給送可能な手差し給送部２０と、シート給送部１０又は手差し給送部２０により給送されるシートに画像を形成する画像形成部３０と、を備えている。
【００６５】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００６６】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体２１５に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００６７】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、
転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００６８】
４つのプロセスカートリッジ３１Ｙ〜３１Ｋのそれぞれは、複合機本体２１５から取り外し可能に構成されており、交換可能となっている。なお、４つのプロセスカートリッジ３１Ｙ〜３２Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００６９】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００７０】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００７１】
操作パネル部２１７は、所定の情報を表示する表示部２１１と、利用者が原稿読取装置８２０及び複合機本体２１５への指示を入力する入力部２０３と、を備えている。本実施形態においては、操作パネル部２１７は、読取装置本体８２２の正面側に配設されている。なお、正面側は図９の紙面の手前側に対応し、裏面側は図９の背面側に対応する。
【００７２】
図１０に示すように、演算処理部２１３は、シート給送部１０、手差し給送部２０、画像形成部３０及び原稿読取装置８２０を駆動制御するＣＰＵ２１３ａと、ＣＰＵ２１３ａを動作させるための各種プログラムとＣＰＵ２１３ａが用いる各種情報等を記憶するメモリ２１３ｂと、を備えている。演算処理部２１３は、利用者による操作パネル部２１７への操作に基づいて、シート給送部１０、手差し給送部２０、画像形成部３０及び原稿読取装置８２０の動作を統合して制御し、シートに画像を形成させる。
【００７３】
なお、演算処理部２１３に、図１、図６又は図７に示す画像切出装置１０１が含まれていてもよい。
【００７４】
次に、上述のように構成された複合機８００による画像形成動作（演算処理部２１３による画像形成制御）について説明する。本実施形態においては、原稿自動給送部８２４により給送され、読取装置本体８２２により読み取られた読取原稿の画像を、シート給送部
１０により給送されるシートに画像形成部３０が形成する画像形成動作を例にとり説明する。
【００７５】
利用者による操作パネル部２１７の入力部２０３への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【００７６】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｂにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【００７７】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００７８】
トナー像が転写されたシートは、定着部３４で加熱・加圧されることでトナー像が溶融定着され、排出ローラ対１８により装置外に排出される。装置外に排出されたシートは、排出シート積載部１９に積載される。
【００７９】
なお、シートの両面（第１面及び第２面）に画像を形成する場合に、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【実施例１】
【００８０】
図１１に示すように、見開き２ページ、左横組みの場合には、各ページについて主走査を左から右、副走査を上から下にした２次元的な走査を行うが、左横組みであることより左開きであることがわかるので、この走査を左ページ、右ページの順に２回行う。これにより、図１１に示す番号に従った順序に画像が並べ替えられる。
【実施例２】
【００８１】
図１２に示すように、見開き２ページ、右縦組みの場合には、各ページについて主走査を上から下、副走査を右から左にした２次元的な走査を行うが、右縦組みであることより右開きであることがわかるので、この走査を右ページ、左ページの順に２回行う。これにより、図１２に示す番号に従った順序に画像が並べ替えられる。
【実施例３】
【００８２】
図１３に示すように、見開き２ページ、右横組み（例えば、アラビア語）の場合には、各ページについて主走査を右から左、副走査を上から下にした２次元的な走査を行うが、右横組みであることより右開きであることがわかるので、この走査を右ページ、左ページの順に２回行う。これにより、図１３に示す番号に従った順序に画像が並べ替えられる。
【実施例４】
【００８３】
図１４に示すように、見開き２ページ、左横組みの場合には、各ページについて主走査を左から右、副走査を上から下にした２次元的な走査を行うが、上下方向の見開きであるので上開きであると判断し、この走査を上ページ、下ページの順に２回行う。これにより、図１４に示す番号に従った順序に画像が並べ替えられる。
【実施例５】
【００８４】
図１５に示すように、見開き２ページ、右縦組みの場合には、各ページについて主走査を上から下、副走査を右から左にした２次元的な走査を行うが、上下方向の見開きであるので上開きであると判断し、この走査を上ページ、下ページの順に２回行う。これにより、図１５に示す番号に従った順序に画像が並べ替えられる。
【実施例６】
【００８５】
実施例１乃至実施例５では、見開き２ページを対象としたが、これらの実施例における１ページ（全面又は半面にわたるもの）のみを対象とする場合には、これらの実施例における２次元的な走査を１回のみ行う。
【００８６】
例えば、図１６に示すように、見開き１ページ、左横組みの場合には、主走査を左から右、副走査を上から下にした２次元的な走査を１回行う。これにより、図１６に示す番号に従った順序に画像が並べ替えられる。
【実施例７】
【００８７】
図１７に示すような上天の見開き２ページを対象とする場合には、実施例１を適用するが、この場合、図１７において画像に付した番号で示す順に画像が並び替えられる。図１８に示すような左天の見開き２ページを対象とする場合には、図１８において画像に付した番号で示す順に画像が並び替えられるべきである。本実施例では、そのために、天方向検出部１１７、座標回転部１２３などを用いて、次のことを行う。
【００８８】
まず、全ての画像領域を検出する。そして、それらの位置を示す座標を取得する。次に、取得した座標を、画像データの何れかの点を中心として右方向に９０度回転した座標に変換する。次に、変換後の座標に対して、実施例１と同様な走査を適用する。
【００８９】
なお、上記の画像切出装置は、ハードウェア、ソフトウェア又はこれらの組合わせにより実現することができる。また、上記の画像切出装置により行なわれる画像切出方法も、ハードウェア、ソフトウェア又はこれらに組合わせにより実現することができる。ここで、ソフトウェアによって実現されるとは、コンピュータがプログラムを読み込んで実行することにより実現されることを意味する。
【００９０】
プログラムは、様々なタイプの非一時的なコンピュータ可読媒体(non-transitory computerreadable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体
メモリ（例えば、マスクＲＯＭ、ＰＲＯＭ(Programmable ROM)、ＥＰＲＯＭ(Erasable PROM)、フラッシュＲＯＭ、ＲＡＭ(random accessmemory)）を含む。また、プログラムは、様々なタイプの一時的なコンピュータ可読媒体(transitorycomputer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【００９１】
本発明は、原稿から得た画像データから原稿に含まれる写真などを切り出すために利用することができる。
【符号の説明】
【００９２】
１０１  画像切取装置
１０３  原稿読取部
１０５  ユーザインターフェース
１０７  文字方向検出部
１０９  画像領域検出部
１１１、１１１Ｂ、１１１Ｃ  組方向検出部
１１５  開き方向入力部
１１６  ページ区切入力部
１１７  天方向検出部
１１９  座標検出部
１２３  座標回転部
１２５  領域順序決定部
１２７  画像並替部
【図１】
2018067892.tif 000003
【図２】
2018067892.tif 000004
【図３】
2018067892.tif 000005
【図４】
2018067892.tif 000006
【図５】
2018067892.tif 000007
【図６】
2018067892.tif 000008
【図７】
2018067892.tif 000009
【図８】
2018067892.tif 000010
【図９】
2018067892.tif 000011
【図１０】
2018067892.tif 000012
【図１１】
2018067892.tif 000013
【図１２】
2018067892.tif 000014
【図１３】
2018067892.tif 000015
【図１４】
2018067892.tif 000016
【図１５】
2018067892.tif 000017
【図１６】
2018067892.tif 000018
【図１７】
2018067892.tif 000019
【図１８】
2018067892.tif 000020
【図１９】
2018067892.tif 000021
【図２０】
2018067892.tif 000022